(57)【要約】【課題】機体内に投入された紙幣の現物の返却を顧客から要求されたときでも、顧客の要望に確実に応えることができる紙幣処理装置および紙幣処理方法を提供する。【解決手段】紙幣処理装置１０は、搬送部１４に接続され、結束されるべき紙幣を収納する結束紙幣用収納部２０、２２と、結束紙幣用収納部２０、２２に収納された紙幣を結束する結束部２４と、互いに異なる２つの取引に係る紙幣を継続して取込部１２により機体内に取り込んだ場合に、結束紙幣用収納部２０、２２に送られた紙幣のうち、２つの取引の境界の紙幣の記番号を出力する出力部（制御部４０）と、を備えている。【選択図】図１
2014059830.tif 000002
【特許請求の範囲】
【請求項１】
紙幣を機体内に取り込むための取込部と、
前記取込部に接続され、機体内で紙幣の搬送を行う搬送部と、
前記搬送部に設けられ、前記取込部により機体内に取り込まれた紙幣の識別を行う識別部と、
前記搬送部に接続され、結束されるべき紙幣を収納する結束紙幣用収納部と、
前記結束紙幣用収納部に収納された紙幣を結束する結束部と、
互いに異なる２つの取引に係る紙幣を継続して前記取込部により機体内に取り込んだ場合に、前記結束紙幣用収納部に送られた紙幣のうち、前記２つの取引の境界の紙幣の記番号を出力する出力部と、
を備えた、紙幣処理装置。
【請求項２】
前記搬送部に接続され、バラ紙幣を収納するバラ紙幣用収納部を更に備え、
前記出力部は、互いに異なる２つの取引に係る紙幣を継続して前記取込部により機体内に取り込んだ場合に、前記バラ紙幣用収納部に送られた紙幣のうち、前記２つの取引の境界の紙幣の記番号を追加的に出力する、請求項１記載の紙幣処理装置。
【請求項３】
前記出力部は、互いに異なる２つの取引に係る紙幣を継続して前記取込部により機体内に取り込んだ場合に、前記結束紙幣用収納部に送られてその後前記結束部により結束された紙幣のうち、前記２つの取引の境界の紙幣の記番号を出力する、請求項１または２記載の紙幣処理装置。
【請求項４】
前記２つの取引の境界の紙幣は、先に行われた取引における最後の紙幣である、請求項１乃至３のいずれか一項に記載の紙幣処理装置。
【請求項５】
前記出力部は、前記結束紙幣用収納部に送られた紙幣のうち、先に行われた取引における紙幣の枚数を追加的に出力する、請求項４記載の紙幣処理装置。
【請求項６】
前記出力部は、前記結束紙幣用収納部に送られた紙幣のうち、先に行われた取引における最後の紙幣と連続する１または複数の紙幣の記番号も追加的に出力する、請求項４または５記載の紙幣処理装置。
【請求項７】
前記出力部は、前記結束紙幣用収納部に送られた紙幣のうち、先に行われた取引における全ての紙幣の記番号も追加的に出力する、請求項６記載の紙幣処理装置。
【請求項８】
前記２つの取引の境界の紙幣は、後に行われた取引における最初の紙幣である、請求項１乃至３のいずれか一項に記載の紙幣処理装置。
【請求項９】
前記出力部は、前記結束紙幣用収納部に送られた紙幣のうち、後に行われた取引における紙幣の枚数を追加的に出力する、請求項８記載の紙幣処理装置。
【請求項１０】
前記出力部は、前記結束紙幣用収納部に送られた紙幣のうち、後に行われた取引における最初の紙幣と連続する１または複数の紙幣の記番号も追加的に出力する、請求項８または９記載の紙幣処理装置。
【請求項１１】
前記出力部は、前記結束紙幣用収納部に送られた紙幣のうち、後に行われた取引における全ての紙幣の記番号も追加的に出力する、請求項１０記載の紙幣処理装置。
【請求項１２】
前記出力部は、前記結束部により結束された結束紙幣の識別情報も追加的に出力する、請求項１乃至１１のいずれか一項に記載の紙幣処理装置。
【請求項１３】
前記結束部には、当該結束部により結束された紙幣の結束部材に印字を行う結束部材印字部が設けられており、
前記結束部材印字部は、前記出力部により出力された結束紙幣の識別情報を前記結束部材に印字する、請求項１２記載の紙幣処理装置。
【請求項１４】
表示部を更に備え、
前記出力部により出力された情報は前記表示部に表示されるようになっている、請求項１乃至１３のいずれか一項に記載の紙幣処理装置。
【請求項１５】
印字を行う印字部を更に備え、
前記印字部は、前記出力部により出力された情報を印字する、請求項１乃至１４のいずれか一項に記載の紙幣処理装置。
【請求項１６】
外部装置に対して情報の送受信を行うインターフェースを更に備え、
前記インターフェースは、前記出力部により出力された情報を外部装置に送信する、請求項１乃至１５のいずれか一項に記載の紙幣処理装置。
【請求項１７】
前記出力部は、各々の取引における前記紙幣処理装置による紙幣の処理時間に関する情報を、各々の取引に関連づけて出力する、請求項１乃至１６のいずれか一項に記載の紙幣処理装置。
【請求項１８】
紙幣を機体内に取り込むための取込部と、前記取込部に接続され、機体内で紙幣の搬送を行う搬送部と、前記搬送部に設けられ、前記取込部により機体内に取り込まれた紙幣の識別を行う識別部と、前記搬送部に接続され、結束されるべき紙幣を収納する結束紙幣用収納部と、前記結束紙幣用収納部に収納された紙幣を結束する結束部と、を備えた紙幣処理装置による紙幣処理方法であって、
互いに異なる２つの取引に係る紙幣を継続して前記取込部により前記紙幣処理装置の機体内に取り込む工程と、
前記結束紙幣用収納部に送られた紙幣のうち、前記２つの取引の境界の紙幣の記番号を出力する工程と、
を備えた、紙幣処理方法。
【発明の詳細な説明】
【技術分野】
【０００１】
本発明は、機体内に取り込まれた紙幣を結束部により結束する紙幣処理装置および紙幣処理方法に関する。
【背景技術】
【０００２】
従来から、機体内に取り込まれた紙幣を識別部により識別し、識別された紙幣を収納部に搬送して収納させた後、収納部に収納された紙幣を結束部により結束する紙幣処理機として、例えば特許文献１等に開示されるものが知られている。このような紙幣処理機において収納部に紙幣が収納されたり、結束部により紙幣が結束されたりした後に、入金金額が異なっていたりエラー等が生じたりしていたときには、紙幣処理機の機体内に投入された紙幣の現物の返却を顧客から要求される場合がある。一つの取引の処理が完了するたびに、紙幣処理機の機体内に残された紙幣をすべて取り出す逐次処理を行えば現物の返却は容易である。しかし、この逐次処理では、紙幣の取り出しに手間がかかり、結束せずに取り出してしまう紙幣の枚数も増えるので効率が悪い。よって、一つの処理が完了しても紙幣処理機の機体内に残された紙幣を取り出さずに残置させ、そのまま次の取引を行う連続処理を行いたいという要望がある。
【０００３】
しかし、この連続処理を行う場合は、紙幣処理機の機体内に投入された紙幣の現物の返却を顧客から要求されたときに、前回の取引で収納部に送られた紙幣と、今回の取引で収納部に送られた紙幣とを確実に区別する必要がある。なぜならば、今回の取引で収納部に送られた紙幣は顧客に返却しなければならないが、前回の取引で収納部に送られた紙幣は顧客に返却する必要がないからである。また、場合によっては、紙幣処理機の機体内に投入された紙幣の現物を顧客に返却する際に、この紙幣の現物が、今回の取引で収納部に送られた紙幣であることを顧客に証明しなければならないこともある。
【先行技術文献】
【特許文献】
【０００４】
【特許文献１】特開２００６−１０７０２９号公報
【発明の概要】
【発明が解決しようとする課題】
【０００５】
しかしながら、特許文献１等に開示されるような従来の紙幣処理機では、収納部に収納された紙幣や結束部により結束された紙幣について、前回の取引で収納部に送られた紙幣と、今回の取引で収納部に送られた紙幣とを区別することができないという問題があった。
【０００６】
本発明は、このような点を考慮してなされたものであり、互いに異なる２つの取引に係る紙幣を継続して機体内に取り込んだ場合に、２つの取引の境界の紙幣の記番号を出力することにより、前回の取引で収納部に送られた紙幣と、今回の取引で収納部に送られた紙幣とを確実に区別することができ、このことにより、機体内に投入された紙幣の現物の返却を顧客から要求されたときでも、顧客の要望に確実に応えることができる紙幣処理装置および紙幣処理方法を提供することを目的とする。
【課題を解決するための手段】
【０００７】
本発明の紙幣処理装置は、紙幣を機体内に取り込むための取込部と、前記取込部に接続され、機体内で紙幣の搬送を行う搬送部と、前記搬送部に設けられ、前記取込部により機体内に取り込まれた紙幣の識別を行う識別部と、前記搬送部に接続され、結束されるべき紙幣を収納する結束紙幣用収納部と、前記結束紙幣用収納部に収納された紙幣を結束する結束部と、互いに異なる２つの取引に係る紙幣を継続して前記取込部により機体内に取り込んだ場合に、前記結束紙幣用収納部に送られた紙幣のうち、前記２つの取引の境界の紙幣の記番号を出力する出力部と、を備えている。
【０００８】
このような紙幣処理装置によれば、出力部は、互いに異なる２つの取引に係る紙幣を継続して取込部により機体内に取り込んだ場合に、結束紙幣用収納部に送られた紙幣のうち、２つの取引の境界の紙幣の記番号を出力するようになっている。このように、結束紙幣用収納部に送られた紙幣のうち、２つの取引の境界の紙幣の記番号が出力されることによって、前回の取引で結束紙幣用収納部に送られた紙幣と、今回の取引で結束紙幣用収納部に送られた紙幣とを確実に区別することができる。このことにより、今回の取引で機体内に投入された紙幣の現物の返却を顧客から要求されたときでも、結束紙幣用収納部に収納された紙幣を全て機体外に取り出し、取り出された紙幣について、出力部により出力された、２つの取引の境界の紙幣の記番号を参照することにより、前回の取引で結束紙幣用収納部に送られた紙幣と、今回の取引で結束紙幣用収納部に送られた紙幣とを区別することによって、顧客の要望に確実に応えることができるようになる。
【０００９】
本発明の紙幣処理装置においては、前記搬送部に接続され、バラ紙幣を収納するバラ紙幣用収納部を更に備え、前記出力部は、互いに異なる２つの取引に係る紙幣を継続して前記取込部により機体内に取り込んだ場合に、前記バラ紙幣用収納部に送られた紙幣のうち、前記２つの取引の境界の紙幣の記番号を追加的に出力するようになっていてもよい。
【００１０】
本発明の紙幣処理装置においては、前記出力部は、互いに異なる２つの取引に係る紙幣を継続して前記取込部により機体内に取り込んだ場合に、前記結束紙幣用収納部に送られてその後前記結束部により結束された紙幣のうち、前記２つの取引の境界の紙幣の記番号を出力するようになっていてもよい。
【００１１】
本発明の紙幣処理装置においては、前記２つの取引の境界の紙幣は、先に行われた取引における最後の紙幣であってもよい。
【００１２】
この際に、前記出力部は、前記結束紙幣用収納部に送られた紙幣のうち、先に行われた取引における紙幣の枚数を追加的に出力するようになっていてもよい。
【００１３】
また、前記出力部は、前記結束紙幣用収納部に送られた紙幣のうち、先に行われた取引における最後の紙幣と連続する１または複数の紙幣の記番号も追加的に出力するようになっていてもよい。
【００１４】
この場合、前記出力部は、前記結束紙幣用収納部に送られた紙幣のうち、先に行われた取引における全ての紙幣の記番号も追加的に出力するようになっていてもよい。
【００１５】
あるいは、前記２つの取引の境界の紙幣は、後に行われた取引における最初の紙幣であってもよい。
【００１６】
この際に、前記出力部は、前記結束紙幣用収納部に送られた紙幣のうち、後に行われた取引における紙幣の枚数を追加的に出力するようになっていてもよい。
【００１７】
また、前記出力部は、前記結束紙幣用収納部に送られた紙幣のうち、後に行われた取引における最初の紙幣と連続する１または複数の紙幣の記番号も追加的に出力するようになっていてもよい。
【００１８】
この場合、前記出力部は、前記結束紙幣用収納部に送られた紙幣のうち、後に行われた取引における全ての紙幣の記番号も追加的に出力するようになっていてもよい。
【００１９】
本発明の紙幣処理装置においては、前記出力部は、前記結束部により結束された結束紙幣の識別情報も追加的に出力するようになっていてもよい。
【００２０】
この際に、前記結束部には、当該結束部により結束された紙幣の結束部材に印字を行う結束部材印字部が設けられており、前記結束部材印字部は、前記出力部により出力された結束紙幣の識別情報を前記結束部材に印字するようになっていてもよい。
【００２１】
本発明の紙幣処理装置は、表示部を更に備え、前記出力部により出力された情報は前記表示部に表示されるようになっていてもよい。
【００２２】
本発明の紙幣処理装置は、印字を行う印字部を更に備え、前記印字部は、前記出力部により出力された情報を印字するようになっていてもよい。
【００２３】
本発明の紙幣処理装置は、外部装置に対して情報の送受信を行うインターフェースを更に備え、前記インターフェースは、前記出力部により出力された情報を外部装置に送信するようになっていてもよい。
【００２４】
本発明の紙幣処理装置においては、前記出力部は、各々の取引における前記紙幣処理装置による紙幣の処理時間に関する情報を、各々の取引に関連づけて出力するようになっていてもよい。
【００２５】
本発明の紙幣処理方法は、紙幣を機体内に取り込むための取込部と、前記取込部に接続され、機体内で紙幣の搬送を行う搬送部と、前記搬送部に設けられ、前記取込部により機体内に取り込まれた紙幣の識別を行う識別部と、前記搬送部に接続され、結束されるべき紙幣を収納する結束紙幣用収納部と、前記結束紙幣用収納部に収納された紙幣を結束する結束部と、を備えた紙幣処理装置による紙幣処理方法であって、互いに異なる２つの取引に係る紙幣を継続して前記取込部により前記紙幣処理装置の機体内に取り込む工程と、前記結束紙幣用収納部に送られた紙幣のうち、前記２つの取引の境界の紙幣の記番号を出力する工程と、を備えている。
【００２６】
このような紙幣処理方法によれば、互いに異なる２つの取引に係る紙幣を継続して取込部により機体内に取り込んだ場合に、結束紙幣用収納部に送られた紙幣のうち、２つの取引の境界の紙幣の記番号を出力するようになっている。このように、結束紙幣用収納部に送られた紙幣のうち、２つの取引の境界の紙幣の記番号が出力されることによって、前回の取引で結束紙幣用収納部に送られた紙幣と、今回の取引で結束紙幣用収納部に送られた紙幣とを確実に区別することができる。このことにより、今回の取引で機体内に投入された紙幣の現物の返却を顧客から要求されたときでも、結束紙幣用収納部に収納された紙幣を全て機体外に取り出し、取り出された紙幣について、２つの取引の境界の紙幣の記番号を参照することにより、前回の取引で結束紙幣用収納部に送られた紙幣と、今回の取引で結束紙幣用収納部に送られた紙幣とを区別することによって、顧客の要望に確実に応えることができるようになる。
【発明の効果】
【００２７】
本発明の紙幣処理装置および紙幣処理方法によれば、機体内に投入された紙幣の現物の返却を顧客から要求されたときでも、顧客の要望に確実に応えることができる。
【図面の簡単な説明】
【００２８】
【図１】本発明の実施の形態による紙幣処理装置の内部の構成を示す概略構成図である。
【図２】図１に示す紙幣処理装置の結束部により結束された結束紙幣を示す斜視図である。
【図３】図１等に示す紙幣処理装置の機能ブロック図である。
【図４】図１等に示す紙幣処理装置の表示部における表示画面を示す図である。
【図５】図１等に示す紙幣処理装置の表示部における他の表示画面を示す図である。
【図６】図１等に示す紙幣処理装置の表示部における更に他の表示画面を示す図である。
【発明を実施するための形態】
【００２９】
以下、図面を参照して本発明の実施の形態について説明する。図１乃至図６は、本実施の形態に係る紙幣処理装置を示す図である。このうち、図１は、本発明の実施の形態による紙幣処理装置の内部の構成を示す概略構成図である。また、図２は、図１に示す紙幣処理装置の結束部により結束された結束紙幣を示す斜視図である。また、図３は、図１等に示す紙幣処理装置の機能ブロック図である。また、図４乃至図６は、それぞれ、図１等に示す紙幣処理装置の表示部における表示画面を示す図である。
【００３０】
まず、本実施の形態の紙幣処理装置１０の全体構成について図１を用いて説明する。図１に示すように、紙幣処理装置１０の側面には取込部１２が設けられており、操作者はこの取込部１２に１または複数の紙幣を積層状態で集積させることができるようになっている。また、取込部１２には、当該取込部１２に積層状態で載置された１または複数の紙幣のうち最下層にある紙幣を１枚ずつ機体内に繰り出す繰出ローラ（図示せず）が設けられている。また、図１に示すように、紙幣処理装置１０の機体内には、取込部１２により機体内に取り込まれた紙幣を１枚ずつ搬送する搬送部１４、および搬送部１４により搬送される紙幣の金種、真偽、正損等の識別を行う識別部１６がそれぞれ設けられている。より詳細には、識別部１６は、例えばラインセンサを有しており、このようなラインセンサにより紙幣の表面の画像をスキャンし、紙幣の記番号を得るようになっている。
【００３１】
また、図１に示すように、紙幣処理装置１０の機体内には、２つの結束紙幣用収納部２０、２２が設けられており、各結束紙幣用収納部２０、２２には紙幣が積層状態で収納されるようになっている。これらの結束紙幣用収納部２０、２２はそれぞれ搬送部１４に接続されており、識別部１６により識別された紙幣が搬送部１４により各結束紙幣用収納部２０、２２に送られるようになっている。ここで、各結束紙幣用収納部２０、２２には機体外に連通する開口が紙幣処理装置１０の筐体の前面にそれぞれ設けられており、これらの開口はカバー（図示せず）により閉じられるようになっている。そして、カバーが開くことにより、操作者は各結束紙幣用収納部２０、２２に収納された紙幣を機体外に取り出し可能となっている。
【００３２】
また、図１に示すように、紙幣処理装置１０の機体内には結束部２４が設けられており、各結束紙幣用収納部２０、２２に収納された紙幣は結束部２４により結束されるようになっている。より詳細には、各結束紙幣用収納部２０、２２に収納された紙幣が所定の枚数（例えば、１００枚）に達したときに、結束部は、この所定の枚数分の紙幣を例えば帯封紙等の結束部材により結束する。結束部２４により結束された結束紙幣を図２に示す。図２に示すように、結束紙幣Ｂは、帯封紙等の結束部材Ｓにより結束されるようになる。また、図１に示すように、結束部２４には結束部材印字部２６が設けられている。この結束部材印字部２６により、結束紙幣Ｂの結束部材Ｓに様々な情報が印字されるようになっている。結束部材印字部２６により結束紙幣Ｂの結束部材Ｓに印字される情報の詳細については後述する。
【００３３】
また、紙幣処理装置１０の側面には結束紙幣排出部２８が設けられており、結束部２４により結束された結束紙幣は結束紙幣排出部２８に送られるようになっている。より詳細には、紙幣処理装置１０の側面には開口（図示せず）が設けられており、結束部２４により結束された結束紙幣はこの開口を介して機体外に排出されるようになっている。ここで、結束紙幣排出部２８に送られた結束紙幣は操作者が取り出し可能となっている。
【００３４】
また、図１に示すように、紙幣処理装置１０の機体内には、２つのバラ紙幣用収納部３０、３２が設けられており、各バラ紙幣用収納部３０、３２には紙幣が積層状態で収納されるようになっている。これらのバラ紙幣用収納部３０、３２はそれぞれ搬送部１４に接続されており、識別部１６により識別された紙幣が搬送部１４により各バラ紙幣用収納部３０、３２に送られるようになっている。ここで、各バラ紙幣用収納部３０、３２には機体外に連通する開口（図示せず）が紙幣処理装置１０の筐体の前面にそれぞれ設けられており、これらの開口を介して操作者は各バラ紙幣用収納部３０、３２に収納された紙幣を機体外に取り出し可能となっている。
【００３５】
また、図１に示すように、紙幣処理装置１０の機体内にはリジェクト部３４が設けられており、このリジェクト部３４は搬送部１４に接続されている。そして、取込部１２により機体内に取り込まれたが識別部１６により識別することができなかった紙幣や、識別部１６により識別されたが正常な紙幣ではないと判断された紙幣（例えば、偽券や損券、搬送異常券等）は、リジェクト紙幣としてリジェクト部３４に送られるようになっている。リジェクト部３４には、リジェクト紙幣が積層状態で収納されるようになっている。ここで、リジェクト部３４には機体外に連通する開口（図示せず）が紙幣処理装置１０の筐体の前面に設けられており、この開口を介して操作者はリジェクト部３４に収納されたリジェクト紙幣を機体外に取り出し可能となっている。なお、リジェクト部３４に収納されたリジェクト紙幣は、取引毎に操作者によって機体外に取り出されるようになっている。
【００３６】
また、図１に示すように、搬送部１４には複数の分岐部材１８が設けられており、これらの分岐部材１８により、搬送部１４により搬送される紙幣の分岐が行われるようになっている。このようにして、各分岐部材１８により、識別部１６により識別された紙幣の搬送先、具体的には各結束紙幣用収納部２０、２２、各バラ紙幣用収納部３０、３２、リジェクト部３４のうちどの収納部等に送られるかが決められるようになっている。各分岐部材１８は後述する制御部４０により制御されるようになっている。
【００３７】
次に、本実施の形態による紙幣処理装置１０の機能ブロック図について図３を用いて説明する。図３に示すように、紙幣処理装置１０の機体内には制御部４０が設けられており、この制御部４０には、取込部１２、搬送部１４、識別部１６、分岐部材１８、結束部２４、結束部材印字部２６等がそれぞれ接続されている。ここで、識別部１６による紙幣の識別情報は制御部４０に送られるようになっている。この際に、識別部１６により読み取られた紙幣の記番号に係る情報も制御部４０に送られるようになっている。また、制御部４０は取込部１２、搬送部１４、分岐部材１８、結束部２４、結束部材印字部２６等にそれぞれ指令を送ることにより、これらの構成要素の制御を行うようになっている。
【００３８】
また、図３に示すように、制御部４０には表示部４２、操作部４４、印字部４６、記憶部４８、インターフェース５０等がそれぞれ接続されている。表示部４２は、例えば紙幣処理装置１０の筐体の前面に設けられたモニタ等からなり、この表示部４２には、紙幣処理装置１０による紙幣の処理状況や、各結束紙幣用収納部２０、２２や各バラ紙幣用収納部３０、３２に収納された紙幣の枚数や合計金額等の情報が表示されるようになっている。また、操作部４４は、例えば紙幣処理装置１０の筐体の前面に設けられた複数の操作キー等からなり、操作者がこれらの操作キーを押下することにより制御部４０に対して様々な指令を与えることができるようになっている。具体的には、操作部４４は例えば３つの操作キーを有しており紙幣処理装置１０の筐体の前面において左側から、「スタートキー」「クリア／キャンセルキー」「確定キー」の順で配置されている。なお、表示部４２をタッチパネルとし、３つの操作キーを表示部４２に表示し、タッチにより操作可能なものとしてもよい。また、印字部４６は、例えばプリンタ（図示せず）からなり、紙幣処理装置１０による紙幣の処理状況や、各結束紙幣用収納部２０、２２や各バラ紙幣用収納部３０、３２に収納された紙幣の枚数や合計金額等の情報をレシートに印字するようになっている。
【００３９】
また、記憶部４８には、紙幣処理装置１０による紙幣の処理状況や、紙幣処理装置１０における様々な設定条件等が記憶されるようになっている。また、インターフェース５０は、紙幣処理装置１０とは別の装置である外部装置、具体的には上位装置と信号の送受信を行うようになっている。
【００４０】
また、後述するように、制御部４０は、各結束紙幣用収納部２０、２２や各バラ紙幣用収納部３０、３２に送られた紙幣のうち、２つの取引の境界の紙幣の記番号を出力する出力部としても機能するようになっている。
【００４１】
本実施の形態の紙幣処理装置１０では、前述したように取込部１２により機体内に取り込まれた紙幣の記番号が識別部１６により読み取られ、紙幣の記番号に係る情報は識別部１６から制御部４０に送られ、記憶部４８に記憶されるようになっている。そして、制御部４０は、互いに異なる２つの取引に係る紙幣を継続して取込部１２により機体内に取り込んだ場合に、各結束紙幣用収納部２０、２２に送られた紙幣のうち、２つの取引の境界の紙幣の記番号を出力するようになっている。ここで、「取引」とは、操作者が紙幣を取込部１２に載置した後、操作部４４における「スタートキー」を押下することにより開始し、取込部１２により機体内に取り込まれた紙幣が各結束紙幣用収納部２０、２２や各バラ紙幣用収納部３０、３２等に搬送された後、操作者が操作部４４における「確定キー」や「クリア／キャンセルキー」を押下することにより終了するものである。
【００４２】
より詳細に説明すると、ある操作者によって一の取引が終了した後、別の操作者によって他の取引が行われたときに、各結束紙幣用収納部２０、２２には、先に行われた取引により機体内に取り込まれた紙幣、および後に行われた取引により機体内に取り込まれた紙幣がそれぞれ積層状態で集積されるようになる。この際に、制御部４０は、２つの取引の境界の紙幣の記番号として、例えば先に行われた取引における最後の紙幣の記番号を出力する。制御部４０により出力された、先に行われた取引における最後の紙幣の記番号に係る情報は、表示部４２に表示されたり、印字部４６によりレシートに印字されたり、記憶部４８に記憶されたりする。また、制御部４０により出力された、先に行われた取引における最後の紙幣の記番号に係る情報は、インターフェース５０により外部装置に送信されるようになっていてもよい。
【００４３】
図４に、制御部４０により出力された、各結束紙幣用収納部２０、２２に送られた紙幣のうち先に行われた取引における最後の紙幣の記番号に係る情報が表示部４２に表示されたときの表示画面を示す。図４に示すように、表示部４２には、２つの結束紙幣用収納部２０、２２の各々における、先に行われた取引における最後の紙幣の記番号が「紙幣番号」として表示される。なお、図４における表示画面では、結束紙幣用収納部２０が「結束紙幣用収納部１」に対応しており、結束紙幣用収納部２２が「結束紙幣用収納部２」に対応している。このように、２つの結束紙幣用収納部２０、２２の各々における、先に行われた取引における最後の紙幣の記番号が表示部４２に表示されることによって、前回の取引で各結束紙幣用収納部２０、２２に送られた紙幣と、今回の取引で各結束紙幣用収納部２０、２２に送られた紙幣とを確実に区別することができる。このことにより、今回の取引で機体内に投入された紙幣の現物の返却を顧客から要求されたときでも、操作者はカバー（図示せず）を開くことにより、各結束紙幣用収納部２０、２２に収納された全ての紙幣をそれぞれ機体外に取り出し、取り出された紙幣について、表示部４２に表示された、先に行われた取引における最後の紙幣の記番号を参照することにより、前回の取引で各結束紙幣用収納部２０、２２に送られた紙幣と、今回の取引で各結束紙幣用収納部２０、２２に送られた紙幣とを区別することによって、顧客の要望に確実に応えることができるようになる。
【００４４】
なお、図４に示すように、表示部４２には、各結束紙幣用収納部２０、２２に送られた紙幣のうち、先に行われた取引における最後の紙幣の記番号に加えて、この紙幣の金種や方向（ここで、紙幣の方向とは、紙幣の表裏および上下の向きの組み合わせのことをいい、アルファベットＡ〜Ｄで示される）も表示される。また、図４に示すように、表示部４２には、先に行われた取引の終了時刻が「処理時間」として表示される。ここで、「先に行われた取引の終了時刻」とは、先に行われた取引において、機体内に取り込まれた紙幣が各結束紙幣用収納部２０、２２や各バラ紙幣用収納部３０、３２に搬送された後、操作者が操作部４４における「確定キー」を押下した時刻である。このように、制御部４０は、各々の取引における紙幣処理装置１０による紙幣の処理時間に関する情報も、各々の取引に関連付けて出力するようになっている。
【００４５】
また、制御部４０は、各結束紙幣用収納部２０、２２に送られた紙幣のうち、先に行われた取引における紙幣の枚数や後に行われた取引における紙幣の枚数をそれぞれ追加的に出力するようになっていてもよい。制御部４０により出力された、先に行われた取引における紙幣の枚数や後に行われた取引における紙幣の枚数に係る情報は、表示部４２に表示されたり、印字部４６によりレシートに印字されたり、記憶部４８に記憶されたりする。また、制御部４０により出力された、先に行われた取引における紙幣の枚数や後に行われた取引における紙幣の枚数に係る情報は、インターフェース５０により外部装置に送信されるようになっていてもよい。図４において、制御部４０により出力された、先に行われた取引における紙幣の枚数に係る情報が「前回枚数」として、また、後に行われた取引における紙幣の枚数に係る情報が「今回枚数」として、それぞれ結束紙幣用収納部２０、２２毎に表示部４２に表示されている。このことにより、先に行われた取引における紙幣の枚数や後に行われた取引における紙幣の枚数を操作者が認識することができるため、前回の取引で各結束紙幣用収納部２０、２２に送られた紙幣と、今回の取引で各結束紙幣用収納部２０、２２に送られた紙幣とをより確実に区別することができるようになる。
【００４６】
なお、制御部４０は、各結束紙幣用収納部２０、２２に送られた紙幣のうち、先に行われた取引における最後の紙幣と連続する１または複数の紙幣の記番号も追加的に出力するようになっていてもよい。あるいは、制御部４０は、各結束紙幣用収納部２０、２２に送られた紙幣のうち、先に行われた取引における全ての紙幣の記番号も追加的に出力するようになっていてもよい。制御部４０により出力された、先に行われた取引における最後の紙幣と連続する１または複数の紙幣の記番号の情報や、先に行われた取引における全ての紙幣の記番号の情報は、それぞれ表示部４２に表示されたり、印字部４６によりレシートに印字されたり、記憶部４８に記憶されたりする。また、制御部４０により出力された、先に行われた取引における最後の紙幣と連続する１または複数の紙幣の記番号の情報や、先に行われた取引における全ての紙幣の記番号の情報は、インターフェース５０により外部装置に送信されるようになっていてもよい。図４に示すような、各結束紙幣用収納部２０、２２に送られた紙幣のうち、先に行われた取引における最後の紙幣の記番号のみを制御部４０が出力するような態様では、識別部１６によりこの紙幣の記番号を正確に読み取ることができなかった場合に、前回の取引で各結束紙幣用収納部２０、２２に送られた紙幣と、今回の取引で各結束紙幣用収納部２０、２２に送られた紙幣とを確実に区別することができないおそれがある。これに対し、各結束紙幣用収納部２０、２２に送られた紙幣のうち、先に行われた取引における複数の紙幣の記番号または全ての紙幣の記番号を制御部４０が出力するようにしたときには、先に行われた取引における最後の紙幣の記番号を識別部１６により正確に読み取ることができなかった場合でも、他の紙幣の記番号の情報を参照することにより、前回の取引で各結束紙幣用収納部２０、２２に送られた紙幣と、今回の取引で各結束紙幣用収納部２０、２２に送られた紙幣とを確実に区別することができるようになる。
【００４７】
また、制御部４０は、互いに異なる２つの取引に係る紙幣を継続して取込部１２により機体内に取り込んだ場合に、各バラ紙幣用収納部３０、３２に送られた紙幣のうち、２つの取引の境界の紙幣の記番号を追加的に出力するようになっていてもよい。より詳細に説明すると、ある操作者によって一の取引が終了した後、別の操作者によって他の取引が行われたときに、各バラ紙幣用収納部３０、３２には、先に行われた取引により機体内に取り込まれた紙幣、および後に行われた取引により機体内に取り込まれた紙幣がそれぞれ積層状態で集積されるようになる。この際に、制御部４０は、２つの取引の境界の紙幣の記番号として、例えば先に行われた取引における最後の紙幣の記番号を出力する。制御部４０により出力された、先に行われた取引における最後の紙幣の記番号に係る情報は、表示部４２に表示されたり、印字部４６によりレシートに印字されたり、記憶部４８に記憶されたりする。また、制御部４０により出力された、先に行われた取引における最後の紙幣の記番号に係る情報は、インターフェース５０により外部装置に送信されるようになっていてもよい。このようなバラ紙幣用収納部３０、３２に関する機能は、結束紙幣用収納部２０、２２を有さない装置にも適用できる。つまり、取込部、搬送部、識別部およびバラ紙幣用収納部を備えた紙幣処理装置で、バラ紙幣用収納部に送られた紙幣のうち、２つの取引の境界の紙幣の記番号を出力するものとすることができる。
【００４８】
図４に、制御部４０により出力された、各バラ紙幣用収納部３０、３２に送られた紙幣のうち先に行われた取引における最後の紙幣の記番号に係る情報が表示部４２に表示されたときの表示画面を示す。図４に示すように、表示部４２には、２つのバラ紙幣用収納部３０、３２の各々における、先に行われた取引における最後の紙幣の記番号が「紙幣番号」として表示される。なお、図４における表示画面では、バラ紙幣用収納部３０が「バラ紙幣用収納部１」に対応しており、バラ紙幣用収納部３２が「バラ紙幣用収納部２」に対応している。また、図４における表示画面では、「バラ紙幣用収納部２」における「前回枚数」が０枚となっているように、前回の取引ではバラ紙幣用収納部３２に紙幣が搬送されていないため、バラ紙幣用収納部３２に関しては、先に行われた取引における最後の紙幣の記番号が表示部４２に表示されることはない。このように、２つのバラ紙幣用収納部３０、３２の各々における、先に行われた取引における最後の紙幣の記番号が表示部４２に表示されることによって、前回の取引で各バラ紙幣用収納部３０、３２に送られた紙幣と、今回の取引で各バラ紙幣用収納部３０、３２に送られた紙幣とを確実に区別することができる。このことにより、今回の取引で機体内に投入された紙幣の現物の返却を顧客から要求されたときでも、操作者は各バラ紙幣用収納部３０、３２に収納された全ての紙幣をそれぞれ機体外に取り出し、取り出された紙幣について、表示部４２に表示された、先に行われた取引における最後の紙幣の記番号を参照することにより、前回の取引で各バラ紙幣用収納部３０、３２に送られた紙幣と、今回の取引で各バラ紙幣用収納部３０、３２に送られた紙幣とを区別することによって、顧客の要望に確実に応えることができるようになる。
【００４９】
なお、図４に示すように、表示部４２には、各バラ紙幣用収納部３０、３２に送られた紙幣のうち、先に行われた取引における最後の紙幣の記番号に加えて、この紙幣の金種や方向も表示される。
【００５０】
また、制御部４０は、各バラ紙幣用収納部３０、３２に送られた紙幣のうち、先に行われた取引における紙幣の枚数や後に行われた取引における紙幣の枚数をそれぞれ追加的に出力するようになっていてもよい。図４において、制御部４０により出力された、先に行われた取引における紙幣の枚数に係る情報が「前回枚数」として、また、後に行われた取引における紙幣の枚数に係る情報が「今回枚数」として、それぞれバラ紙幣用収納部３０、３２毎に表示部４２に表示されている。このことにより、先に行われた取引における紙幣の枚数や後に行われた取引における紙幣の枚数を操作者が認識することができるため、前回の取引で各バラ紙幣用収納部３０、３２に送られた紙幣と、今回の取引で各バラ紙幣用収納部３０、３２に送られた紙幣とをより確実に区別することができるようになる。
【００５１】
なお、制御部４０は、各バラ紙幣用収納部３０、３２に送られた紙幣のうち、先に行われた取引における最後の紙幣と連続する１または複数の紙幣の記番号も追加的に出力するようになっていてもよい。あるいは、制御部４０は、各バラ紙幣用収納部３０、３２に送られた紙幣のうち、先に行われた取引における全ての紙幣の記番号も追加的に出力するようになっていてもよい。制御部４０により出力された、先に行われた取引における最後の紙幣と連続する１または複数の紙幣の記番号の情報や、先に行われた取引における全ての紙幣の記番号の情報は、それぞれ表示部４２に表示されたり、印字部４６によりレシートに印字されたり、記憶部４８に記憶されたりする。また、制御部４０により出力された、先に行われた取引における最後の紙幣と連続する１または複数の紙幣の記番号の情報や、先に行われた取引における全ての紙幣の記番号の情報は、インターフェース５０により外部装置に送信されるようになっていてもよい。図４に示すような、各バラ紙幣用収納部３０、３２に送られた紙幣のうち、先に行われた取引における最後の紙幣の記番号のみを制御部４０が出力するような態様では、識別部１６によりこの紙幣の記番号を正確に読み取ることができなかった場合に、前回の取引で各バラ紙幣用収納部３０、３２に送られた紙幣と、今回の取引で各バラ紙幣用収納部３０、３２に送られた紙幣とを確実に区別することができないおそれがある。これに対し、各バラ紙幣用収納部３０、３２に送られた紙幣のうち、先に行われた取引における複数の紙幣の記番号または全ての紙幣の記番号を制御部４０が出力するようにしたときには、先に行われた取引における最後の紙幣の記番号を識別部１６により正確に読み取ることができなかった場合でも、他の紙幣の記番号の情報を参照することにより、前回の取引で各バラ紙幣用収納部３０、３２に送られた紙幣と、今回の取引で各バラ紙幣用収納部３０、３２に送られた紙幣とを確実に区別することができるようになる。
【００５２】
なお、本実施の形態の紙幣処理装置１０では、制御部４０は、２つの取引の境界の紙幣の記番号として先に行われた取引における最後の紙幣の記番号を出力するような態様に限定されることはない。他の態様として、制御部４０は、２つの取引の境界の紙幣の記番号として後に行われた取引における最初の紙幣の記番号を出力するようになっていてもよい。このような態様について図５を用いて以下に説明する。
【００５３】
以下に示す態様では、制御部４０は、互いに異なる２つの取引に係る紙幣を継続して取込部１２により機体内に取り込んだ場合に、各結束紙幣用収納部２０、２２に送られた紙幣のうち、後に行われた取引における最初の紙幣の記番号を出力するようになっている。制御部４０により出力された、後に行われた取引における最初の紙幣の記番号に係る情報は、表示部４２に表示されたり、印字部４６によりレシートに印字されたり、記憶部４８に記憶されたりする。また、制御部４０により出力された、後に行われた取引における最初の紙幣の記番号に係る情報は、インターフェース５０により外部装置に送信されるようになっていてもよい。図５に、制御部４０により出力された、各結束紙幣用収納部２０、２２に送られた紙幣のうち後に行われた取引における最初の紙幣の記番号に係る情報が表示部４２に表示されたときの表示画面を示す。図５に示すように、表示部４２には、２つの結束紙幣用収納部２０、２２の各々における、後に行われた取引における最初の紙幣の記番号が「紙幣番号」として表示される。このように、２つの結束紙幣用収納部２０、２２の各々における、後に行われた取引における最初の紙幣の記番号が表示部４２に表示されることによって、前回の取引で各結束紙幣用収納部２０、２２に送られた紙幣と、今回の取引で各結束紙幣用収納部２０、２２に送られた紙幣とを確実に区別することができる。このことにより、今回の取引で機体内に投入された紙幣の現物の返却を顧客から要求されたときでも、操作者はカバー（図示せず）を開くことにより、各結束紙幣用収納部２０、２２に収納された全ての紙幣をそれぞれ機体外に取り出し、取り出された紙幣について、表示部４２に表示された、後に行われた取引における最初の紙幣の記番号を参照することにより、前回の取引で各結束紙幣用収納部２０、２２に送られた紙幣と、今回の取引で各結束紙幣用収納部２０、２２に送られた紙幣とを区別することによって、顧客の要望に確実に応えることができるようになる。
【００５４】
なお、図５に示すように、表示部４２には、各結束紙幣用収納部２０、２２に送られた紙幣のうち、後に行われた取引における最初の紙幣の記番号に加えて、この紙幣の金種や方向も表示される。また、図５に示すように、表示部４２には、後に行われた取引の開始時刻が「処理時間」として表示される。ここで、「後に行われた取引の開始時刻」とは、後に行われた取引において、操作者が取込部１２に紙幣を載置した後に操作部４４における「スタートキー」を押下した時刻である。このように、制御部４０は、各々の取引における紙幣処理装置１０による紙幣の処理時間に関する情報も、各々の取引に関連付けて出力するようになっている。
【００５５】
また、前述したように、制御部４０は、各結束紙幣用収納部２０、２２に送られた紙幣のうち、先に行われた取引における紙幣の枚数や後に行われた取引における紙幣の枚数をそれぞれ追加的に出力するようになっていてもよい。図５において、制御部４０により出力された、先に行われた取引における紙幣の枚数に係る情報が「前回枚数」として、また、後に行われた取引における紙幣の枚数に係る情報が「今回枚数」として、それぞれ結束紙幣用収納部２０、２２毎に表示部４２に表示されている。このことにより、先に行われた取引における紙幣の枚数や後に行われた取引における紙幣の枚数を操作者が認識することができるため、前回の取引で各結束紙幣用収納部２０、２２に送られた紙幣と、今回の取引で各結束紙幣用収納部２０、２２に送られた紙幣とをより確実に区別することができるようになる。
【００５６】
なお、制御部４０は、各結束紙幣用収納部２０、２２に送られた紙幣のうち、後に行われた取引における最初の紙幣と連続する１または複数の紙幣の記番号も追加的に出力するようになっていてもよい。あるいは、制御部４０は、各結束紙幣用収納部２０、２２に送られた紙幣のうち、後に行われた取引における全ての紙幣の記番号も追加的に出力するようになっていてもよい。制御部４０により出力された、後に行われた取引における最初の紙幣と連続する１または複数の紙幣の記番号の情報や、後に行われた取引における全ての紙幣の記番号の情報は、それぞれ表示部４２に表示されたり、印字部４６によりレシートに印字されたり、記憶部４８に記憶されたりする。また、制御部４０により出力された、後に行われた取引における最初の紙幣と連続する１または複数の紙幣の記番号の情報や、後に行われた取引における全ての紙幣の記番号の情報は、インターフェース５０により外部装置に送信されるようになっていてもよい。図５に示すような、各結束紙幣用収納部２０、２２に送られた紙幣のうち、後に行われた取引における最初の紙幣の記番号のみを制御部４０が出力するような態様では、識別部１６によりこの紙幣の記番号を正確に読み取ることができなかった場合に、前回の取引で各結束紙幣用収納部２０、２２に送られた紙幣と、今回の取引で各結束紙幣用収納部２０、２２に送られた紙幣とを確実に区別することができないおそれがある。これに対し、各結束紙幣用収納部２０、２２に送られた紙幣のうち、後に行われた取引における複数の紙幣の記番号または全ての紙幣の記番号を制御部４０が出力するようにしたときには、後に行われた取引における最初の紙幣の記番号を識別部１６により正確に読み取ることができなかった場合でも、他の紙幣の記番号の情報を参照することにより、前回の取引で各結束紙幣用収納部２０、２２に送られた紙幣と、今回の取引で各結束紙幣用収納部２０、２２に送られた紙幣とを確実に区別することができるようになる。
【００５７】
また、制御部４０は、互いに異なる２つの取引に係る紙幣を継続して取込部１２により機体内に取り込んだ場合に、各バラ紙幣用収納部３０、３２に送られた紙幣のうち、後に行われた取引における最初の紙幣の記番号を追加的に出力するようになっていてもよい。制御部４０により出力された、後に行われた取引における最初の紙幣の記番号に係る情報は、表示部４２に表示されたり、印字部４６によりレシートに印字されたり、記憶部４８に記憶されたりする。また、制御部４０により出力された、後に行われた取引における最初の紙幣の記番号に係る情報は、インターフェース５０により外部装置に送信されるようになっていてもよい。
【００５８】
図５に、制御部４０により出力された、各バラ紙幣用収納部３０、３２に送られた紙幣のうち後に行われた取引における最初の紙幣の記番号に係る情報が表示部４２に表示されたときの表示画面を示す。図５に示すように、表示部４２には、２つのバラ紙幣用収納部３０、３２の各々における、後に行われた取引における最初の紙幣の記番号が「紙幣番号」として表示される。また、図５における表示画面では、「バラ紙幣用収納部２」における「前回枚数」が０枚となっているが、「今回枚数」は１２枚となっているため、後に行われた取引における最初の紙幣の記番号が表示部４２に表示されるようになる。このように、２つのバラ紙幣用収納部３０、３２の各々における、後に行われた取引における最初の紙幣の記番号が表示部４２に表示されることによって、前回の取引で各バラ紙幣用収納部３０、３２に送られた紙幣と、今回の取引で各バラ紙幣用収納部３０、３２に送られた紙幣とを確実に区別することができる。このことにより、今回の取引で機体内に投入された紙幣の現物の返却を顧客から要求されたときでも、操作者は各バラ紙幣用収納部３０、３２に収納された全ての紙幣をそれぞれ機体外に取り出し、取り出された紙幣について、表示部４２に表示された、後に行われた取引における最初の紙幣の記番号を参照することにより、前回の取引で各バラ紙幣用収納部３０、３２に送られた紙幣と、今回の取引で各バラ紙幣用収納部３０、３２に送られた紙幣とを区別することによって、顧客の要望に確実に応えることができるようになる。
【００５９】
なお、図５に示すように、表示部４２には、各バラ紙幣用収納部３０、３２に送られた紙幣のうち、後に行われた取引における最初の紙幣の記番号に加えて、この紙幣の金種や方向も表示される。
【００６０】
また、前述したように、制御部４０は、各バラ紙幣用収納部３０、３２に送られた紙幣のうち、先に行われた取引における紙幣の枚数や後に行われた取引における紙幣の枚数をそれぞれ追加的に出力するようになっていてもよい。図５において、制御部４０により出力された、先に行われた取引における紙幣の枚数に係る情報が「前回枚数」として、また、後に行われた取引における紙幣の枚数に係る情報が「今回枚数」として、それぞれバラ紙幣用収納部３０、３２毎に表示部４２に表示されている。このことにより、先に行われた取引における紙幣の枚数や後に行われた取引における紙幣の枚数を操作者が認識することができるため、前回の取引で各バラ紙幣用収納部３０、３２に送られた紙幣と、今回の取引で各バラ紙幣用収納部３０、３２に送られた紙幣とをより確実に区別することができるようになる。
【００６１】
なお、制御部４０は、各バラ紙幣用収納部３０、３２に送られた紙幣のうち、後に行われた取引における最初の紙幣と連続する１または複数の紙幣の記番号も追加的に出力するようになっていてもよい。あるいは、制御部４０は、各バラ紙幣用収納部３０、３２に送られた紙幣のうち、後に行われた取引における全ての紙幣の記番号も追加的に出力するようになっていてもよい。制御部４０により出力された、後に行われた取引における最初の紙幣と連続する１または複数の紙幣の記番号の情報や、後に行われた取引における全ての紙幣の記番号の情報は、それぞれ表示部４２に表示されたり、印字部４６によりレシートに印字されたり、記憶部４８に記憶されたりする。また、制御部４０により出力された、後に行われた取引における最初の紙幣と連続する１または複数の紙幣の記番号の情報や、後に行われた取引における全ての紙幣の記番号の情報は、インターフェース５０により外部装置に送信されるようになっていてもよい。図５に示すような、各バラ紙幣用収納部３０、３２に送られた紙幣のうち、後に行われた取引における最初の紙幣の記番号のみを制御部４０が出力するような態様では、識別部１６によりこの紙幣の記番号を正確に読み取ることができなかった場合に、前回の取引で各バラ紙幣用収納部３０、３２に送られた紙幣と、今回の取引で各バラ紙幣用収納部３０、３２に送られた紙幣とを確実に区別することができないおそれがある。これに対し、各バラ紙幣用収納部３０、３２に送られた紙幣のうち、後に行われた取引における複数の紙幣の記番号や全ての紙幣の記番号を制御部４０が出力するようにしたときには、後に行われた取引における最初の紙幣の記番号を識別部１６により正確に読み取ることができなかった場合でも、他の紙幣の記番号の情報を参照することにより、前回の取引で各バラ紙幣用収納部３０、３２に送られた紙幣と、今回の取引で各バラ紙幣用収納部３０、３２に送られた紙幣とを確実に区別することができるようになる。
【００６２】
また、制御部４０は、互いに異なる２つの取引に係る紙幣を継続して取込部１２により機体内に取り込んだ場合に、各結束紙幣用収納部２０、２２に送られてその後結束部２４により結束された紙幣のうち、２つの取引の境界の紙幣の記番号を出力するようになっていてもよい。また、制御部４０は、結束部２４により結束された結束紙幣の識別情報も追加的に出力するようになっていてもよい。制御部４０により出力されたこれらの情報は、表示部４２に表示されたり、印字部４６によりレシートに印字されたり、記憶部４８に記憶されたりする。また、制御部４０により出力されたこれらの情報は、インターフェース５０により外部装置に送信されるようになっていてもよい。また、結束部材印字部２６は、制御部４０により出力された結束紙幣の識別情報を帯封紙等の結束部材に印字するようになっている。このような態様について、詳細を以下に説明する。
【００６３】
図６に、制御部４０により出力された、各結束紙幣用収納部２０、２２に送られてその後結束部２４により結束された結束紙幣のうち先に行われた取引における最後の紙幣の記番号に係る情報、および結束紙幣の識別情報がそれぞれ表示部４２に表示されたときの表示画面を示す。図６に示すように、表示部４２には、２つの結束紙幣に関する様々な情報が表示されているが、各々の結束紙幣の識別情報（図６における「１２３４」「１２３５」という数字）も表示部４２に表示されるようになる。また、表示部４２には、結束部２４により結束された２つの結束紙幣における、先に行われた取引における最後の紙幣の記番号が「紙幣番号」として表示される。このように、結束部２４により結束された２つの結束紙幣の各々における、先に行われた取引における最後の紙幣の記番号が表示部４２に表示されることによって、結束部２４により結束された結束紙幣について、前回の取引で各結束紙幣用収納部２０、２２に送られた紙幣と、今回の取引で各結束紙幣用収納部２０、２２に送られた紙幣とを確実に区別することができる。このことにより、今回の取引で機体内に投入された紙幣の現物の返却を顧客から要求されたときでも、操作者は結束紙幣排出部２８から結束紙幣を取り出し、取り出された結束紙幣について、表示部４２に表示された、先に行われた取引における最後の紙幣の記番号を参照することにより、前回の取引で各結束紙幣用収納部２０、２２に送られた紙幣と、今回の取引で各結束紙幣用収納部２０、２２に送られた紙幣とを区別することによって、顧客の要望に確実に応えることができるようになる。また、表示部４２には結束紙幣の識別情報が表示されるとともに、結束紙幣における帯封紙等の結束部材にも結束部材印字部２６によって識別情報が印字されるので、結束紙幣排出部２８から取り出された結束紙幣について、表示部４２に表示された複数の結束紙幣のうちどの結束紙幣に対応するかについて確実に見分けることができるようになる。
【００６４】
なお、図６に示すように、表示部４２には、結束部２４により結束された結束紙幣のうち、先に行われた取引における最後の紙幣の記番号に加えて、この紙幣の金種や方向も表示される。また、図６に示すように、表示部４２には、先に行われた取引の終了時刻が「処理時間」として表示される。このように、制御部４０は、各々の取引における紙幣処理装置１０による紙幣の処理時間に関する情報も、各々の取引に関連付けて出力するようになっている。
【００６５】
また、制御部４０は、結束部２４により結束された結束紙幣のうち、先に行われた取引における紙幣の枚数や後に行われた取引における紙幣の枚数をそれぞれ追加的に出力するようになっていてもよい。制御部４０により出力された、先に行われた取引における紙幣の枚数や後に行われた取引における紙幣の枚数に係る情報は、表示部４２に表示されたり、印字部４６によりレシートに印字されたり、記憶部４８に記憶されたりする。また、制御部４０により出力された、先に行われた取引における紙幣の枚数や後に行われた取引における紙幣の枚数に係る情報は、インターフェース５０により外部装置に送信されるようになっていてもよい。図６において、制御部４０により出力された、先に行われた取引における紙幣の枚数に係る情報が「前回枚数」として、また、後に行われた取引における紙幣の枚数に係る情報が「今回枚数」として、それぞれ結束紙幣毎に表示部４２に表示されている。このことにより、先に行われた取引における紙幣の枚数や後に行われた取引における紙幣の枚数を操作者が認識することができるため、結束部２４により結束された結束紙幣について、前回の取引で各結束紙幣用収納部２０、２２に送られた紙幣と、今回の取引で各結束紙幣用収納部２０、２２に送られた紙幣とをより確実に区別することができる。
【００６６】
なお、制御部４０は、結束部２４により結束された結束紙幣のうち、先に行われた取引における最後の紙幣と連続する１または複数の紙幣の記番号も追加的に出力するようになっていてもよい。あるいは、制御部４０は、結束部２４により結束された結束紙幣のうち、先に行われた取引における全ての紙幣の記番号も追加的に出力するようになっていてもよい。制御部４０により出力された、先に行われた取引における最後の紙幣と連続する１または複数の紙幣の記番号の情報や、先に行われた取引における全ての紙幣の記番号の情報は、それぞれ表示部４２に表示されたり、印字部４６によりレシートに印字されたり、記憶部４８に記憶されたりする。また、制御部４０により出力された、先に行われた取引における最後の紙幣と連続する１または複数の紙幣の記番号の情報や、先に行われた取引における全ての紙幣の記番号の情報は、インターフェース５０により外部装置に送信されるようになっていてもよい。図６に示すような、結束部２４により結束された結束紙幣のうち、先に行われた取引における最後の紙幣の記番号のみを制御部４０が出力するような態様では、識別部１６によりこの紙幣の記番号を正確に読み取ることができなかった場合に、前回の取引で各結束紙幣用収納部２０、２２に送られた紙幣と、今回の取引で各結束紙幣用収納部２０、２２に送られた紙幣とを確実に区別することができないおそれがある。これに対し、結束部２４により結束された結束紙幣のうち、先に行われた取引における複数の紙幣の記番号または全ての紙幣の記番号を制御部４０が出力するようにしたときには、先に行われた取引における最後の紙幣の記番号を識別部１６により正確に読み取ることができなかった場合でも、他の紙幣の記番号の情報を参照することにより、前回の取引で各結束紙幣用収納部２０、２２に送られた紙幣と、今回の取引で各結束紙幣用収納部２０、２２に送られた紙幣とを確実に区別することができるようになる。
【００６７】
また、図６に示すような表示部４２における表示画面では、結束部２４により結束された結束紙幣に関する情報に加えて、各バラ紙幣用収納部３０、３２に収納されてこれらのバラ紙幣用収納部３０、３２から取り出された紙幣の束であるバッチ紙幣に関する情報も表示されるようになっている。バッチ紙幣についてより詳細に説明すると、取込部１２により機体内に取り込まれ識別部１６により識別された紙幣が各バラ紙幣用収納部３０、３２に搬送される際に、２つのバラ紙幣用収納部３０、３２のうち一方のバラ紙幣用収納部（例えば、バラ紙幣用収納部３０）に紙幣が搬送されて収納される。そして、この一方のバラ紙幣用収納部３０に収納された紙幣の枚数が所定の枚数（例えば、１００枚）に達すると、取込部１２により機体内に取り込まれ識別部１６により識別された紙幣は、他方のバラ紙幣用収納部（例えば、バラ紙幣用収納部３２）に搬送されて収納されるようになる。そして、他方のバラ紙幣用収納部３２に紙幣が収納される間に、操作者は一方のバラ紙幣用収納部３０から１００枚の紙幣の束（バッチ紙幣）を取り出す。このようにして取り出された１００枚の紙幣の束を「バッチ紙幣」という。その後、他方のバラ紙幣用収納部３２に収納された紙幣の枚数が所定の枚数（例えば、１００枚）に達すると、取込部１２により機体内に取り込まれ識別部１６により識別された紙幣は、再び一方のバラ紙幣用収納部３０に搬送されて収納されるようになる。そして、一方のバラ紙幣用収納部３０に紙幣が収納される間に、操作者は他方のバラ紙幣用収納部３２から１００枚の紙幣の束（バッチ紙幣）を取り出す。
【００６８】
本実施の形態の紙幣処理装置１０では、制御部４０は、互いに異なる２つの取引に係る紙幣を継続して取込部１２により機体内に取り込んだ場合に、各バラ紙幣用収納部３０、３２から取り出されたバッチ紙幣のうち、２つの取引の境界の紙幣の記番号を出力するようになっていてもよい。また、制御部４０は、各バラ紙幣用収納部３０、３２から取り出されたバッチ紙幣の取り出しの順番に係る情報も追加的に出力するようになっていてもよい。制御部４０により出力されたこれらの情報は、表示部４２に表示されたり、印字部４６によりレシートに印字されたり、記憶部４８に記憶されたりする。また、制御部４０により出力されたこれらの情報は、インターフェース５０により外部装置に送信されるようになっていてもよい。このようなバッチ紙幣に関する機能は、結束紙幣用収納部２０、２２を有さない装置にも適用できる。つまり、取込部、搬送部、識別部およびバラ紙幣用収納部を備えた紙幣処理装置で、バラ紙幣用収納部から取り出されたバッチ紙幣のうち、２つの取引の境界の紙幣の記番号を出力するものとすることができる。
【００６９】
図６に、制御部４０により出力された、各バラ紙幣用収納部３０、３２から取り出されたバッチ紙幣のうち先に行われた取引における最後の紙幣の記番号に係る情報、および各バラ紙幣用収納部３０、３２から取り出されたバッチ紙幣の取り出しの順番に係る情報がそれぞれ表示部４２に表示されたときの表示画面を示す。図６に示すように、表示部４２には、４つのバッチ紙幣に関する様々な情報が表示されているが、これらのバッチ紙幣の取り出しの順番（図６における「１つ目」〜「４つ目」という情報）も表示部４２に表示されるようになる。また、表示部４２には、各バラ紙幣用収納部３０、３２から取り出された４つのバッチ紙幣における、先に行われた取引における最後の紙幣の記番号が「紙幣番号」として表示される。なお、図６における表示画面では、１つ目および４つ目のバッチ紙幣は、前回の取引で各バラ紙幣用収納部３０、３２に送られた紙幣と、今回の取引で各バラ紙幣用収納部３０、３２に送られた紙幣との両方が含まれるものであり、一方、２つ目および３つ目のバッチ紙幣は、今回の取引で各バラ紙幣用収納部３０、３２に送られた紙幣のみが含まれるものである。このように、各バラ紙幣用収納部３０、３２から取り出されたバッチ紙幣（具体的には、１つ目および４つ目のバッチ紙幣）の各々における、先に行われた取引における最後の紙幣の記番号が表示部４２に表示されることによって、各バラ紙幣用収納部３０、３２から取り出されたバッチ紙幣について、前回の取引で各バラ紙幣用収納部３０、３２に送られた紙幣と、今回の取引で各バラ紙幣用収納部３０、３２に送られた紙幣とを確実に区別することができる。このことにより、今回の取引で機体内に投入された紙幣の現物の返却を顧客から要求されたときでも、各バラ紙幣用収納部３０、３２から取り出されたバッチ紙幣について、表示部４２に表示された、先に行われた取引における最後の紙幣の記番号を参照することにより、前回の取引で各バラ紙幣用収納部３０、３２に送られた紙幣と、今回の取引で各バラ紙幣用収納部３０、３２に送られた紙幣とを区別することによって、顧客の要望に確実に応えることができるようになる。
【００７０】
なお、図６に示すように、表示部４２には、各バラ紙幣用収納部３０、３２から取り出されたバッチ紙幣のうち、先に行われた取引における最後の紙幣の記番号に加えて、この紙幣の金種や方向も表示される。
【００７１】
また、制御部４０は、各バラ紙幣用収納部３０、３２から取り出されたバッチ紙幣のうち、先に行われた取引における紙幣の枚数や後に行われた取引における紙幣の枚数をそれぞれ追加的に出力するようになっていてもよい。制御部４０により出力された、先に行われた取引における紙幣の枚数や後に行われた取引における紙幣の枚数に係る情報は、表示部４２に表示されたり、印字部４６によりレシートに印字されたり、記憶部４８に記憶されたりする。また、制御部４０により出力された、先に行われた取引における紙幣の枚数や後に行われた取引における紙幣の枚数に係る情報は、インターフェース５０により外部装置に送信されるようになっていてもよい。図６において、制御部４０により出力された、先に行われた取引における紙幣の枚数に係る情報が「前回枚数」として、また、後に行われた取引における紙幣の枚数に係る情報が「今回枚数」として、それぞれ結束紙幣毎に表示部４２に表示されている。このことにより、先に行われた取引における紙幣の枚数や後に行われた取引における紙幣の枚数を操作者が認識することができるため、各バラ紙幣用収納部３０、３２から取り出されたバッチ紙幣について、前回の取引で各バラ紙幣用収納部３０、３２に送られた紙幣と、今回の取引で各バラ紙幣用収納部３０、３２に送られた紙幣とをより確実に区別することができるようになる。
【００７２】
なお、制御部４０は、各バラ紙幣用収納部３０、３２から取り出されたバッチ紙幣のうち、先に行われた取引における最後の紙幣と連続する１または複数の紙幣の記番号も追加的に出力するようになっていてもよい。あるいは、制御部４０は、各バラ紙幣用収納部３０、３２から取り出されたバッチ紙幣のうち、先に行われた取引における全ての紙幣の記番号も追加的に出力するようになっていてもよい。制御部４０により出力された、先に行われた取引における最後の紙幣と連続する１または複数の紙幣の記番号の情報や、先に行われた取引における全ての紙幣の記番号の情報は、それぞれ表示部４２に表示されたり、印字部４６によりレシートに印字されたり、記憶部４８に記憶されたりする。また、制御部４０により出力された、先に行われた取引における最後の紙幣と連続する１または複数の紙幣の記番号の情報や、先に行われた取引における全ての紙幣の記番号の情報は、インターフェース５０により外部装置に送信されるようになっていてもよい。図６に示すような、各バラ紙幣用収納部３０、３２から取り出されたバッチ紙幣のうち、先に行われた取引における最後の紙幣の記番号のみを制御部４０が出力するような態様では、識別部１６によりこの紙幣の記番号を正確に読み取ることができなかった場合に、前回の取引で各バラ紙幣用収納部３０、３２に送られた紙幣と、今回の取引で各バラ紙幣用収納部３０、３２に送られた紙幣とを区別することができないおそれがある。これに対し、各バラ紙幣用収納部３０、３２から取り出されたバッチ紙幣のうち、先に行われた取引における複数の紙幣の記番号または全ての紙幣の記番号を制御部４０が出力するようにしたときには、先に行われた取引における最後の紙幣の記番号を識別部１６により正確に読み取ることができなかった場合でも、他の紙幣の記番号の情報を参照することにより、前回の取引で各バラ紙幣用収納部３０、３２に送られた紙幣と、今回の取引で各バラ紙幣用収納部３０、３２に送られた紙幣とを確実に区別することができるようになる。
【００７３】
なお、図６に示すような表示部４２における表示画面の例では、制御部４０は、結束部２４により結束された結束紙幣や、各バラ紙幣用収納部３０、３２から取り出されたバッチ紙幣について、２つの取引の境界の紙幣の記番号として、先に行われた取引における最後の紙幣の記番号を出力するようになっているが、このような例に限定されることはない。他の態様として、制御部４０は、結束部２４により結束された結束紙幣や、各バラ紙幣用収納部３０、３２から取り出されたバッチ紙幣について、２つの取引の境界の紙幣の記番号として、後に行われた取引における最初の紙幣の記番号を出力するようになっていてもよい。このような態様についての説明は省略する。
【００７４】
また、本実施の形態の紙幣処理装置１０では、２つの取引の境界の紙幣として、先に行われた取引における最後の紙幣、および後に行われた取引における最初の紙幣のうちどちらを用いるかについては、操作者が操作部４４によって前もって設定することができるようになっていてもよい。また、２つの取引の境界の紙幣の金種、方向、または取引の処理時間等の関連情報を制御部４０が出力するか否かについても、操作者が操作部４４によって前もって設定することができるようになっていてもよい。
【００７５】
なお、前述したように、リジェクト部３４に収納されたリジェクト紙幣は、取引毎に操作者によって機体外に取り出されるようになっている。このため、リジェクト部３４には今回の取引で生じたリジェクト紙幣しか残らないようになるため、１つの紙幣の束から前回の取引で生じたリジェクト紙幣と今回の取引で生じたリジェクト紙幣とを区別するといった作業が発生することはない。
【００７６】
以上のように本実施の形態の紙幣処理装置１０によれば、制御部４０は、互いに異なる２つの取引に係る紙幣を継続して取込部１２により機体内に取り込んだ場合に、各結束紙幣用収納部２０、２２に送られた紙幣のうち、２つの取引の境界の紙幣の記番号を出力する出力部として機能するようになっている。このように、各結束紙幣用収納部２０、２２に送られた紙幣のうち、２つの取引の境界の紙幣の記番号が出力されることによって、前回の取引で各結束紙幣用収納部２０、２２に送られた紙幣と、今回の取引で各結束紙幣用収納部２０、２２に送られた紙幣とを確実に区別することができる。このことにより、今回の取引で機体内に投入された紙幣の現物の返却を顧客から要求されたときでも、各結束紙幣用収納部２０、２２に収納された全ての紙幣をそれぞれ機体外に取り出し、取り出された紙幣について、制御部４０により出力された、２つの取引の境界の紙幣の記番号を参照することにより、前回の取引で各結束紙幣用収納部２０、２２に送られた紙幣と、今回の取引で各結束紙幣用収納部２０、２２に送られた紙幣とを区別することによって、顧客の要望に確実に応えることができるようになる。
【００７７】
また、本実施の形態の紙幣処理装置１０では、識別部１６により識別された紙幣が一時的に保留されるような入金一時保留部が設けられておらず、識別部１６により識別された紙幣は直接的に各結束紙幣用収納部２０、２２や各バラ紙幣用収納部３０、３２に搬送されるようになっている。このように、本実施の形態の紙幣処理装置１０では、入金一時保留部の設置を省略することができ、このことにより装置の構成をシンプルなものとすることができる。
【００７８】
また、本実施の形態の紙幣処理装置１０においては、制御部４０は、互いに異なる２つの取引に係る紙幣を継続して取込部１２により機体内に取り込んだ場合に、各バラ紙幣用収納部３０、３２に送られた紙幣のうち、２つの取引の境界の紙幣の記番号を出力するようになっている。このように、各バラ紙幣用収納部３０、３２に送られた紙幣のうち、２つの取引の境界の紙幣の記番号が出力されることによって、前回の取引で各バラ紙幣用収納部３０、３２に送られた紙幣と、今回の取引で各バラ紙幣用収納部３０、３２に送られた紙幣とを確実に区別することができる。このことにより、今回の取引で機体内に投入された紙幣の現物の返却を顧客から要求されたときでも、各バラ紙幣用収納部３０、３２に収納された全ての紙幣をそれぞれ機体外に取り出し、取り出された紙幣について、制御部４０により出力された、２つの取引の境界の紙幣の記番号を参照することにより、前回の取引で各バラ紙幣用収納部３０、３２に送られた紙幣と、今回の取引で各バラ紙幣用収納部３０、３２に送られた紙幣とを区別することによって、顧客の要望に確実に応えることができるようになる。
【００７９】
また、本実施の形態の紙幣処理装置１０においては、図６に示すように、制御部４０は、互いに異なる２つの取引に係る紙幣を継続して取込部１２により機体内に取り込んだ場合に、各結束紙幣用収納部２０、２２に送られてその後結束部２４により結束された結束紙幣のうち、２つの取引の境界の紙幣の記番号を追加的に出力するようになっている。このように、結束部２４により結束された結束紙幣のうち、２つの取引の境界の紙幣の記番号が出力されることによって、結束部２４により結束された結束紙幣について、前回の取引で各結束紙幣用収納部２０、２２に送られた紙幣と、今回の取引で各結束紙幣用収納部２０、２２に送られた紙幣とを確実に区別することができる。このことにより、今回の取引で機体内に投入された紙幣の現物の返却を顧客から要求されたときでも、結束紙幣排出部２８から結束紙幣を取り出し、取り出された結束紙幣について、制御部４０により出力された、２つの取引の境界の紙幣の記番号を参照することにより、前回の取引で各結束紙幣用収納部２０、２２に送られた紙幣と、今回の取引で各結束紙幣用収納部２０、２２に送られた紙幣とを区別することによって、顧客の要望に確実に応えることができるようになる。
【００８０】
また、本実施の形態の紙幣処理装置１０においては、２つの取引の境界の紙幣は、先に行われた取引における最後の紙幣であってもよい。この場合に、制御部４０は、各結束紙幣用収納部２０、２２に送られた紙幣のうち、先に行われた取引における紙幣の枚数を追加的に出力するようになっていてもよい。また、制御部４０は、各結束紙幣用収納部２０、２２に送られた紙幣のうち、先に行われた取引における最後の紙幣と連続する１または複数の紙幣の記番号や、先に行われた取引における全ての紙幣の記番号も追加的に出力するようになっていてもよい。
【００８１】
あるいは、２つの取引の境界の紙幣は、後に行われた取引における最初の紙幣であってもよい。この場合に、制御部４０は、各結束紙幣用収納部２０、２２に送られた紙幣のうち、後に行われた取引における紙幣の枚数を追加的に出力するようになっていてもよい。また、制御部４０は、各結束紙幣用収納部２０、２２に送られた紙幣のうち、後に行われた取引における最初の紙幣と連続する１または複数の紙幣の記番号や、後に行われた取引における全ての紙幣の記番号も追加的に出力するようになっていてもよい。
【００８２】
また、本実施の形態の紙幣処理装置１０においては、図６に示すように、制御部４０は、結束部２４により結束された紙幣の束の識別情報も追加的に出力するようになっていてもよい。この場合、結束部材印字部２６は、制御部４０により出力された紙幣の束の識別番号を帯封紙等の結束部材に印字するようになっていてもよい。また、制御部４０は、各々の取引における紙幣処理装置１０による紙幣の処理時間に関する情報を、各々の取引に関連付けて出力するようになっていてもよい。
【００８３】
なお、本実施の形態における紙幣処理装置および紙幣処理方法は、上記の態様に限定されるものではなく、様々の変更を加えることができる。例えば、結束紙幣用収納部やバラ紙幣用収納部の設置個数は２つに限定されることはない。結束紙幣用収納部やバラ紙幣用収納部が１つのみ設置されるようになっていてもよいし、あるいは結束紙幣用収納部やバラ紙幣用収納部が３つ以上設置されるようになっていてもよい。また、本実施の形態における紙幣処理装置の更なる変形例として、バラ紙幣用収納部が設置されておらず、結束紙幣用収納部および結束部のみが設置された紙幣処理装置が用いられてもよい。
【符号の説明】
【００８４】
１０  紙幣処理装置
１２  取込部
１４  搬送部
１６  識別部
１８  分岐部材
２０、２２  結束紙幣用収納部
２４  結束部
２６  結束部材印字部
２８  結束紙幣排出部
３０、３２  バラ紙幣用収納部
３４  リジェクト部
４０  制御部
４２  表示部
４４  操作部
４６  印字部
４８  記憶部
５０  インターフェース
【図１】
2014059830.tif 000003
【図２】
2014059830.tif 000004
【図３】
2014059830.tif 000005
【図４】
2014059830.tif 000006
【図５】
2014059830.tif 000007
【図６】
2014059830.tif 000008